(57)【要約】【課題】無線端末が通信で使用する複数の通信周波数のうちの少なくとも１つの周波数を有するノイズを低減することが可能な無線端末、方法及びプログラムを提供すること。【解決手段】本発明に係る無線端末１０は、複数の通信周波数ｆを含む無線信号をアンテナ１０４で受信する無線受信部１０２と、所定周波数ｆｄを含む高速信号を通信する高速インターフェース部１０１と、高速インターフェース部１０１から放射され、複数の通信周波数ｆのうちの少なくとも１つの周波数を有するノイズを低減するために高速インターフェース部１０１に接続されたフィルタ部１０３と、を備える。【選択図】図１
2019125901.tif 000002
【特許請求の範囲】
【請求項１】
複数の通信周波数を含む無線信号をアンテナで受信する無線受信部と、
所定周波数を含む高速信号を通信する高速インターフェース部と、
前記高速インターフェース部から放射され、前記複数の通信周波数のうちの少なくとも１つの周波数を有するノイズを低減するために前記高速インターフェース部に接続されたフィルタ部と、
を備える無線端末。
【請求項２】
前記所定周波数は、前記複数の通信周波数のうちの少なくとも１つの周波数を含む、
請求項１に記載の無線端末。
【請求項３】
前記フィルタ部は、第１端子が前記高速インターフェース部に接続され、第２端子が自端末のグランドに接続される、
請求項１又は２に記載の無線端末。
【請求項４】
前記フィルタ部は、共振周波数が前記複数の通信周波数に設定された共振回路を有し、
前記共振回路は、前記ノイズを前記グランドに逃がすことで前記ノイズを低減する、
請求項３に記載の無線端末。
【請求項５】
前記共振周波数を制御する制御部をさらに備えた、請求項４に記載の無線端末。
【請求項６】
前記制御部は、前記ノイズのレベルがノイズレベル閾値以下となるように、前記共振周波数を制御する、
請求項５に記載の無線端末。
【請求項７】
前記共振回路は、第１端子が前記高速インターフェース部に接続された誘導素子と、第１端子が前記誘導素子の第２端子に接続され第２端子が前記グランドに接続され第３端子が前記制御部に接続された可変容量ダイオードと、を有し、
前記制御部は、前記第３端子を介して前記可変容量ダイオードに印加する電圧を変化させることで前記共振周波数を制御する、
請求項５又は６に記載の無線端末。
【請求項８】
前記高速インターフェース部は、前記高速信号を伝送する信号線と、前記信号線から放射される前記ノイズを電気的に遮蔽するシールドパッケージと、を有する、
請求項４乃至７のいずれか１つに記載の無線端末。
【請求項９】
複数の通信周波数を含む無線信号をアンテナで受信するステップと、
所定周波数を含む高速信号を高速インターフェース部で通信するステップと、
前記高速インターフェース部から放射され、前記複数の通信周波数のうちの少なくとも１つの周波数を有するノイズを低減するステップと、
を備える方法。
【請求項１０】
複数の通信周波数を含む無線信号をアンテナで受信するステップと、
所定周波数を含む高速信号を高速インターフェース部で通信するステップと、
前記高速インターフェース部から放射され、前記複数の通信周波数のうちの少なくとも１つの周波数を有するノイズを低減するステップと、
をコンピュータに実行させるプログラム。
【発明の詳細な説明】
【技術分野】
【０００１】
本発明は、無線端末、方法及びプログラムに関するものであり、特に、無線端末が通信で使用する複数の通信周波数のうちの少なくとも１つの周波数を有するノイズを低減することが可能な無線端末、方法及びプログラムに関する。
【背景技術】
【０００２】
近年、自動車、家電、スマートフォン等のデバイスが生成するデータを企業が適切に管理し分析するＩｏＴ（Internet of Things）製品が増加してきている。ＩｏＴ製品の周波数は、特定小電力等の場合、例えば、９２０ＭＨｚ（メガヘルツ）が使用される。ＩｏＴ製品が収集した情報は、ゲートウェイにより、Ｗｉ−Ｆｉ、Ｗ−ＣＤＭＡ(Wideband Code Division Multiple Access)、ＬＴＥ(Long Term Evolution)等を介してサーバに送られる。
【０００３】
また、近年では、Ｗｉ−ＦｉとＬＴＥ等の複数の通信方式及び複数の周波数を使用する無線通信端末を搭載したモバイルルータ等の端末が使用されている。複数の周波数及び複数の通信方式を使用して通信する無線通信端末に外部メモリやハードディスクやディスプレイ等の外部機器を接続する場合、接続インターフェースとしてＵＳＢ(Universal Serial Bus)３．０やＨＤＭＩ（登録商標）(High-Definition Multimedia Interface)インターフェース等が使用される。ＵＳＢ３．０インターフェースで使用されるクロックの周波数は、最大で２．５ＧＨｚ（ギガヘルツ）であり、Ｗｉ−Ｆｉで使用される２．４ＧＨｚ帯の周波数に近い。ＵＳＢ３．０インターフェースを伝送する信号から放射された信号は、２．４ＧＨｚ帯のＷｉ−Ｆｉのアンテナで受信され、該受信された信号はノイズとして受信される。このため、２．４ＧＨｚ帯のＷｉ−Ｆｉ機能を有する無線通信端末は、自身が受信する無線通信信号を正しく復調するため、ノイズの上昇分だけ無線通信信号のレベルを上げる。無線通信信号のレベルを上げない場合、通信特性（受信特性）が劣化する。すなわち、無線通信端末は、通信で使用する周波数と同じ周波数のノイズを受信するため、受信特性が劣化するという問題があった。
【０００４】
特許文献１には、電磁ノイズに起因する受信特性の劣化をより確実に防止する携帯電話機が開示されている。しかしながら、特許文献１に記載の発明は、電磁ノイズの発生源を携帯電話機が有するカメラに限定しているため、除去する電磁ノイズの周波数は該カメラに対応した周波数に制限される。このため、携帯電話機は、通信で使用する周波数と同じ周波数のノイズを受信する可能性があり、この場合、受信特性が劣化するという問題があった。
【０００５】
特許文献２には、携帯通信端末から放射された不要ノイズを導電性のノイズ抑制部材で抑制し、ノイズ抑制部材に複数のインピーダンス部材を自在に接続し、ノイズ抑制部材と複数種類のインピーダンス部材との接続を無線電波の通信周波数に対応して接続制御部で制御し、アンテナからのノイズ影響を低減することが開示されている。しかしながら、特許文献２には、携帯通信端末が通信する１つの通信周波数に対応したノイズを低減することしか開示されていない。このため、携帯通信端末が複数の通信周波数を有する信号を同時に受信する場合、複数の通信周波数に対応した複数の周波数のノイズを低減することが難しいという問題があった。
【先行技術文献】
【特許文献】
【０００６】
【特許文献１】特開２００９−１１１９１３号公報
【特許文献２】特開２０１２−２１３０３０号公報
【発明の概要】
【発明が解決しようとする課題】
【０００７】
上記のように、無線端末が複数の通信周波数を有する信号を受信する場合、通信周波数に対応したノイズを低減することが難しいという問題があった。
【０００８】
本開示の目的は、上述した課題のいずれかを解決する無線端末、方法及びプログラムを提供することにある。
【課題を解決するための手段】
【０００９】
本開示に係る無線端末は、
複数の通信周波数を含む無線信号をアンテナで受信する無線受信部と、
所定周波数を含む高速信号を通信する高速インターフェース部と、
前記高速インターフェース部から放射され、前記複数の通信周波数のうちの少なくとも１つの周波数を有するノイズを低減するために前記高速インターフェース部に接続されたフィルタ部と、
を備える。
【００１０】
本開示に係る方法は、
複数の通信周波数を含む無線信号をアンテナで受信するステップと、
所定周波数を含む高速信号を高速インターフェース部で通信するステップと、
前記高速インターフェース部から放射され、前記複数の通信周波数のうちの少なくとも１つの周波数を有するノイズを低減するステップと、
を備える。
【００１１】
本開示に係るプログラムは、
複数の通信周波数を含む無線信号をアンテナで受信するステップと、
所定周波数を含む高速信号を高速インターフェース部で通信するステップと、
前記高速インターフェース部から放射され、前記複数の通信周波数のうちの少なくとも１つの周波数を有するノイズを低減するステップと、
をコンピュータに実行させる。
【発明の効果】
【００１２】
本発明によれば、無線端末が通信で使用する複数の通信周波数のうちの少なくとも１つの周波数を有するノイズを低減することが可能な無線端末、方法及びプログラムを提供することができる。
【図面の簡単な説明】
【００１３】
【図１】実施の形態１に係る無線端末を例示するブロック図である。
【図２Ａ】実施の形態１に係る無線端末を例示するブロック図である。
【図２Ｂ】図２Ａに示す部分Ｂ１を例示する図である。
【図３Ａ】高速インターフェース部を例示する斜視図である。
【図３Ｂ】図３Ａに示す高速インターフェース部を方向Ｘから見た模式図である。
【図３Ｃ】図３Ａに示す高速インターフェース部を方向Ｙから見た模式図である。
【図４Ａ】高速インターフェース接続用コネクタを例示する模式図である。
【図４Ｂ】高速インターフェース接続用コネクタの配線図である。
【図５Ａ】高速インターフェース接続用コネクタを例示する模式図である。
【図５Ｂ】高速インターフェース接続用コネクタの配線図である。
【図５Ｃ】図５Ｂに示す部分Ｂ３の拡大図である。
【図６Ａ】高速インターフェース接続用コネクタを例示する模式図である。
【図６Ｂ】高速インターフェース接続用コネクタの配線図である。
【図６Ｃ】図６Ｂに示す部分Ｂ５の拡大図である。
【図７Ａ】高速インターフェース部を例示する模式図である。
【図７Ｂ】高速インターフェース部を例示する模式図である。
【図７Ｃ】高速インターフェース部を例示する模式図である。
【図７Ｄ】高速インターフェース接続用コネクタを例示する模式図である。
【図８Ａ】直列ＬＣフィルタの特性を取得するための等価回路である。
【図８Ｂ】直列ＬＣフィルタの減衰特性を例示するグラフである。
【図８Ｃ】直列ＬＣフィルタのインピーダンス特性を例示するスミスチャートである。
【図９Ａ】２．４ＧＨｚ帯のノイズ電流の分布を例示するシミュレーション結果である。
【図９Ｂ】２．４ＧＨｚ帯のノイズ電流の分布を例示するシミュレーション結果である。
【図９Ｃ】２．４ＧＨｚ帯のノイズ電流の分布を例示するシミュレーション結果である。
【図１０Ａ】９２０ＭＨｚ帯のノイズ電流の分布を例示するシミュレーション結果である。
【図１０Ｂ】９２０ＭＨｚ帯のノイズ電流の分布を例示するシミュレーション結果である。
【図１０Ｃ】９２０ＭＨｚ帯のノイズ電流の分布を例示するシミュレーション結果である。
【図１１】ノイズを測定する測定系を例示する図である。
【図１２Ａ】２．４ＧＨｚ帯のノイズ電力を例示するグラフである。
【図１２Ｂ】２．４ＧＨｚ帯のノイズ電力を例示するグラフである。
【図１２Ｃ】２．４ＧＨｚ帯のノイズ電力を例示するグラフである。
【図１３Ａ】９２０ＭＨｚ帯のノイズ電力を例示するグラフである。
【図１３Ｂ】９２０ＭＨｚ帯のノイズ電力を例示するグラフである。
【図１３Ｃ】９２０ＭＨｚ帯のノイズ電力を例示するグラフである。
【図１４】実施の形態１の比較例に係る無線端末を例示する模式図である。
【図１５Ａ】実施の形態２に係る無線端末を例示するブロック図である。
【図１５Ｂ】図１５Ａに示す部分Ｂ７を例示する図である。
【図１６】実施の形態２に係る直列ＬＸフィルタの減衰特性を例示するグラフである。
【図１７】実施の形態２に係る無線端末の動作を例示するフローチャートである。
【発明を実施するための形態】
【００１４】
以下、図面を参照して本発明の実施の形態について説明する。各図面において、同一又は対応する要素には同一の符号が付されており、説明の明確化のため、必要に応じて重複説明を省略する。
【００１５】
［実施の形態１］
実施の形態１に係る無線端末の構成の概要を説明する。
【００１６】
図１は、実施の形態１に係る無線端末を例示するブロック図である。
【００１７】
図１に示すように、実施の形態１に係る無線端末１０は、無線部１２と高速インターフェース部１０１とフィルタ部１０３とアンテナ１０４とを備える。無線端末１０は、例えば、タブレット端末、スマートホン、ＩｏＴ(Internet of Things)ゲートウェイ、モバイルルータ、据え置きルータ等である。
【００１８】
無線部１２は、無線受信部１０２と無線送信部１１２とを有する。無線受信部１０２は、複数の通信周波数ｆを含む無線信号を無線インターフェースを使用して通信しアンテナ１０４で受信する。無線インターフェースは、例えば、Ｗｉ−ＦｉやＷ−ＣＤＭＡやＬＴＥ等である。
【００１９】
高速インターフェース部１０１は、所定周波数ｆｄを含む高速信号を高速インターフェースを使用して外部と通信する。高速インターフェースは、例えば、ＵＳＢ３．０やＨＤＭＩ（登録商標）インターフェース等である。高速信号は、高速インターフェースからノイズとして空間に放射される。所定周波数ｆｄは、複数の通信周波数ｆのうちの少なくとも１つの周波数を含んでいてもよい。
【００２０】
フィルタ部１０３は、高速インターフェース部１０１から放射される高速信号のノイズを除去し低減するために高速インターフェース部１０１に接続される。高速信号のノイズは、複数の通信周波数ｆのうちの少なくとも１つの周波数を有する。
【００２１】
フィルタ部１０３により、無線信号で使用する複数の通信周波数ｆを含むノイズが低減されるので、該ノイズはアンテナ１０４から受信されなくなる。これにより、アンテナ１０４から受信されるノイズの量を低減することができる。ノイズの量を、ノイズのレベル、又はノイズレベルと称することもある。
【００２２】
次に、実施の形態１に係る無線端末の詳細な構成を説明する。この例では、無線端末が４つの無線部を有する場合を例に挙げて説明する。
【００２３】
図２Ａは、実施の形態１に係る無線端末を例示するブロック図である。
図２Ｂは、図２Ａに示す部分Ｂ１を例示する図である。
【００２４】
図２Ａ及び図２Ｂに示すように、高速インターフェース部１０１は、高速インターフェース接続用コネクタ１０１ｃを有する。高速インターフェース接続用コネクタ１０１ｃは、高速信号を伝送する信号線（図示せず）と、信号線から放射されるノイズを電気的に遮蔽するシールドパッケージ１０１２と、を有する。シールドパッケージ１０１２は、例えば、金属により構成される。高速インターフェース接続用コネクタを、高速インターフェース接続用金属コネクタ、又は金属コネクタと称することもある。
【００２５】
無線端末１０は、各種信号を処理するためのＣＰＵ（Central Processing Unit）と、信号を伝送するためのインターフェース部と、信号を情報として記憶する記憶部等を有する。これらの部位では、少なくとも１つ以上のクロックが使用される。そして、該クロックを使用する部位からは、クロックの周波数成分だけでなく、クロックの周波数の奇数倍の高調波の成分を有するものがノイズとして空間に放射される。この放射されたノイズが無線端末１０のアンテナ１０４から受信され、、受信特性に影響を及ぼすことがある。例えば、ＣＰＵ内でクロックを分周して使用している場合等は、クロックの周波数より低い周波数でもノイズが発生し放射され、広範囲に影響を及ぼす。
【００２６】
また、高速インターフェースを介して外部の接続機器（接続装置）と通信する場合、高速インターフェースを伝送する高速信号も、ノイズとして空間に放射される。この例では、高速インターフェースを介して外部の接続機器（接続装置）と通信する高速信号から放射されたノイズをノイズ源１０１３として高速インターフェース部１０１のシールドパッケージ１０１２に接続したものをシミュレーションや実測結果で使用する。ノイズ源１０１３は、高速インターフェースとして使用するＵＳＢケーブルの先に接続された接続媒体、例えば、ＵＳＢドングルやハードディスク等を想定する。
【００２７】
シールドパッケージ１０１２は、無線端末１０のプリント基板１０ｐのグランドＧＮＤに接続する。具体的には、シールドパッケージ１０１２の４つのプリント基板接続部１０１２ａ〜１０１２ｄとプリント基板１０ｐのグランドＧＮＤとが、半田付けで接続される。
【００２８】
無線受信部１０２は、無線受信部１０２ａと無線受信部１０２ｂと無線受信部１０２ｃと無線受信部１０２ｄとを有する。アンテナ１０４は、アンテナ１０４ａとアンテナ１０４ｂとアンテナ１０４ｃとアンテナ１０４ｄとを有する。無線受信部１０２ａにはアンテナ１０４ａが接続され、無線受信部１０２ｂにはアンテナ１０４ｂが接続され、無線受信部１０２ｃにはアンテナ１０４ｃが接続され、無線受信部１０２ｄにはアンテナ１０４ｄが接続される。
【００２９】
無線受信部１０２ａは、複数の通信周波数ｆのうちの通信周波数ｆ１を使用して通信する無線信号をアンテナ１０４ａで受信する。無線受信部１０２ｂは、複数の通信周波数ｆのうちの通信周波数ｆ２を使用して通信する無線信号をアンテナ１０４ｂで受信する。無線受信部１０２ｃは、複数の通信周波数ｆのうちの通信周波数ｆ３を使用して通信する無線信号をアンテナ１０４ｃで受信する。無線受信部１０２ｄは、複数の通信周波数ｆのうちの通信周波数ｆ４を使用して通信する無線信号をアンテナ１０４ｄで受信する
【００３０】
高速インターフェース接続用コネクタ１０１ｃは小型であるため、通信周波数ｆ１〜ｆ４のうちのいずれかの周波数の無線信号を受信することが可能な逆Ｆアンテナ、又は逆Ｌアンテナとして機能する場合がある。すなわち、高速インターフェース接続用コネクタ１０１ｃと、高速インターフェース接続用コネクタ１０１ｃと接続された外部の媒体と、を含めてアンテナとして機能する場合がある。この場合、高速インターフェース接続用コネクタ１０１ｃから放射ノイズＮｚｒが放射され、ノイズ電流Ｎｚｃが発生する。そして、これらの放射ノイズＮｚｒやノイズ電流Ｎｚｃがアンテナ１０４からノイズとして受信され、受信特性に悪影響を与え受信特性が劣化する。
【００３１】
ここで、説明を簡単にする為、高速インターフェース接続用コネクタ１０１ｃが、通信周波数ｆ１を有するノイズを放射するアンテナとして機能した場合を例に挙げて説明する。
【００３２】
実施の形態１に係る無線端末１０は、第１端子が高速インターフェース部１０１に接続され、第２端子がプリント基板１０ｐのグランドＧＮＤに接続されたフィルタ部１０３を有する。
【００３３】
すなわち、シールドパッケージ１０１２の４つのプリント基板接続部１０１２ａ〜１０１２ｄとプリント基板１０ｐのグランドＧＮＤとの間のそれぞれに、フィルタ部１０３を有する。図２Ｂに示すように、フィルタ部１０３は、共振周波数が複数の通信周波数ｆに設定された共振回路１０３１〜共振回路１０３４を有する。共振回路１０３１〜共振回路１０３４は、ノイズをグランドＧＮＤに逃がすことでノイズを低減する。ここで、通信周波数ｆ１と通信周波数ｆ２と通信周波数ｆ３と通信周波数ｆ４とを、総称して複数の通信周波数ｆと称する。
【００３４】
共振回路１０３１は、第１端子が高速インターフェース接続用コネクタ１０１ｃのシールドパッケージ１０１２に接続され、第２端子がプリント基板１０ｐのグランドＧＮＤに接続された第１容量素子Ｃ１を有する。第１容量素子Ｃ１は、通信周波数ｆ１で高速インターフェース接続用コネクタ１０１ｃをアンテナとして機能させないためのものである。容量素子をコンデンサと称することもある。
【００３５】
このとき、高速インターフェース接続用コネクタ１０１ｃには、通信周波数ｆ２〜ｆ４で高速インターフェース接続用コネクタ１０１ｃをアンテナとして機能させないための容量素子等は接続されていない。このため、高速インターフェース接続用コネクタ１０１ｃは、プリント基板１０ｐのグランドＧＮＤと切り離され、通信周波数ｆ２〜ｆ４を有するノイズが高速インターフェース接続用コネクタ１０１ｃから放射される。この放射された通信周波数ｆ２〜ｆ４を有するノイズは、アンテナ１０４ａ〜１０４ｄから受信され、通信周波数ｆ２〜ｆ４ののノイズが増加してしまう。
【００３６】
そこで、実施の形態１に係る無線端末１０は、共振回路１０３２等を有する。共振回路１０３２は、第１誘導素子Ｌ１と、第２容量素子Ｃ２と、を有する。第１誘導素子Ｌ１は、第１端子が高速インターフェース接続用コネクタ１０１ｃのシールドパッケージ１０１２に接続される。第２容量素子Ｃ２は、第１端子が第１誘導素子Ｌ１の第２端子に接続され、第２端子がプリント基板１０ｐのグランドＧＮＤに接続される。
【００３７】
共振回路１０３２〜１０３４は、通信周波数ｆ２〜ｆ４のそれぞれの周波数成分を有するノイズをプリント基板１０ｐのグランドＧＮＤに逃がすためのＬＣフィルタであって、誘導素子Ｌと容量素子Ｃとが直列に接続されたＬＣフィルタを有する。尚、容量素子と誘導素子とが直列に接続されたＬＣフィルタを、直列ＬＣフィルタと称する。
【００３８】
具体的には、共振回路１０３２は、通信周波数ｆ２を共振周波数とし、第１誘導素子Ｌ１と第２容量素子Ｃ２とからなる直列ＬＣフィルタを有する。共振回路１０３２の直列ＬＣフィルタは、通信周波数ｆ２の周波数成分を有するノイズのみを、プリント基板１０ｐのグランドＧＮＤに逃がす。グランドＧＮＤに逃がした状態を、ショート状態となると称することもある。共振回路１０３３の直列ＬＣフィルタは、通信周波数ｆ３の周波数成分を有するノイズのみを、プリント基板１０ｐのグランドＧＮＤに逃がす。共振回路１０３４の直列ＬＣフィルタは、通信周波数ｆ４の周波数成分を有するノイズのみを、プリント基板１０ｐのグランドＧＮＤに逃がす。
【００３９】
直列ＬＣフィルタの共振周波数を変更することで、所望の周波数のノイズの低減量を制御することができる。
【００４０】
プリント基板接続部１０１２ｂ〜１０１２ｄと接続されるフィルタ部１０３も、プリント基板接続部１０１２ａと接続されるフィルタ部１０３と同様な共振回路を有する。
【００４１】
次に、実施の形態１に係る無線端末の効果をシミュレーションを用いて説明する。先ず、シミュレーション条件を説明する。
図３Ａは、高速インターフェース部を例示する斜視図である。
図３Ｂは、図３Ａに示す高速インターフェース部を方向Ｘから見た模式図である。
図３Ｃは、図３Ａに示す高速インターフェース部を方向Ｙから見た模式図である。
【００４２】
図３Ａ、図３Ｂ、及び図３Ｃに示すように、ＵＳＢドングル５０５にノイズ源５０１３を設け、ＵＳＢパッケージコネクタ５０１に接続する。高速インターフェース部は、ＵＳＢ３．０インターフェースを使用する。プリント基板５０ｐには、ＵＳＢドングル５０５と、ＵＳＢパッケージコネクタ５０１内のＵＳＢ信号端子５０８と、を介してＣＰＵ（図示せず）に接続するＵＳＢ信号用配線５０７を設けた。このシミュレーションでは、ＵＳＢパッケージコネクタ５０１が有する４つのプリント基板接続部５０１２ａ〜５０１２ｄと、プリント基板５０ｐのグランドＧＮＤと、の間の結合方法を変更し、プリント基板５０ｐに流れるノイズ電流Ｎｚｃを確認した。１つのプリント基板接続部５０１２ａは、半田付け部５０１２ａ１と半田付け部５０１２ａ２という２つの半田付け部を有する。プリント基板接続部５０１２ｂ〜５０１２ｄのそれぞれも、プリント基板接続部５０１２ａと同様である。
【００４３】
図４Ａは、高速インターフェース接続用コネクタを例示する模式図である。
図４Ａは、等価回路を示す。高速インターフェース接続用コネクタとして、ＵＳＢパッケージコネクタ５０１を示す。
図４Ｂは、高速インターフェース接続用コネクタの配線図である。
【００４４】
図４Ａ及び図４Ｂに示すように、ＵＳＢパッケージコネクタ５０１は、プリント基板５０ｐのグランドＧＮＤと接続するための４つのプリント基板接続部５０１２ａ〜５０１２ｄを有する。プリント基板接続部５０１２ａ〜５０１２ｄは、プリント基板５０ｐのグランドＧＮＤに直接に接続される。この直接に接続された状態を、「グランド接続状態」と称する。図４Ｂに示す部分Ｂ２は、プリント基板接続部５０１２ａ〜５０１２ｄである。
【００４５】
図５Ａは、高速インターフェース接続用コネクタを例示する模式図である。
図５Ａは、等価回路を示す。
図５Ｂは、高速インターフェース接続用コネクタの配線図である。
図５Ｃは、図５Ｂに示す部分Ｂ３の拡大図である。
【００４６】
図５Ａ、図５Ｂ及び図５Ｃに示すように、プリント基板接続部５０１２ａ〜５０１２ｄとプリント基板５０ｐのグランドＧＮＤとを容量素子Ｃを介して結合する。この状態を、「容量結合状態」と称する。図５Ｂに示す部分Ｂ４は、プリント基板接続部５０１２ａ〜５０１２ｄが容量素子Ｃを介してプリント基板５０ｐのグランドＧＮＤと結合された状態を示す。
【００４７】
図６Ａは、高速インターフェース接続用コネクタを例示する模式図である。
図６Ａは、等価回路を示す。
図６Ｂは、高速インターフェース接続用コネクタの配線図である。
図６Ｃは、図６Ｂに示す部分Ｂ５の拡大図である。
【００４８】
図６Ａ、図６Ｂ及び図６Ｃに示すように、プリント基板接続部５０１２ａ〜５０１２ｄとプリント基板５０ｐのグランドＧＮＤとを、容量素子Ｃと直列ＬＣフィルタＦＬとを介して結合する。この状態を、「容量＆直列ＬＣフィルタ結合状態」と称する。図６Ｂに示す部分Ｂ６は、プリント基板接続部５０１２ａ〜５０１２ｄが容量素子Ｃと、これと並列に接続された直列ＬＣフィルタＦＬと、を介してプリント基板５０ｐのグランドＧＮＤと結合された状態を示す。
【００４９】
図７Ａは、高速インターフェース部を例示する模式図である。
図７Ａは、グランド接続状態を示す。
【００５０】
図７Ａに示すように、ノイズ源５０１３を設けたＵＳＢドングル５０５は、ＵＳＢパッケージコネクタ（図示せず）に接続する。ＵＳＢパッケージコネクタのプリント基板接続部５０１２ａ〜５０１２ｄは、それぞれ２箇所でプリント基板５０ｐのグランドＧＮＤと接続し合計で８箇所で接続する。ＵＳＢ信号端子（図示せず）はＵＳＢ信号用配線５０７に接続し、ＵＳＢ信号用配線５０７はＣＰＵ（図示せず）に接続する。具体的には、ＵＳＢ信号用配線５０７は、スルーホールｈを介してＵＳＢパッケージコネクタ５０１が搭載された面に配線された後にＣＰＵに接続する。
【００５１】
図７Ｂは、高速インターフェース部を例示する模式図である。
図７Ｂは、容量結合状態を示す。
【００５２】
図７Ｂに示すように、ＵＳＢパッケージコネクタのプリント基板接続部５０１２ａ〜５０１２ｄは、それぞれ容量素子Ｃを介して１箇所でプリント基板５０ｐのグランドＧＮＤと接続する（合計で４箇所で接続する）。
【００５３】
図７Ｃは、高速インターフェース部を例示する模式図である。
図７Ｃは、容量＆直列ＬＣフィルタ結合状態を示す。
図７Ｄは、高速インターフェース接続用コネクタを例示する模式図である。
図７Ｄは、等価回路を示す。
【００５４】
図７Ｃ及び図７Ｄに示すように、ＵＳＢパッケージコネクタ５０１のプリント基板接続部５０１２ａ〜５０１２ｄは、それぞれ容量素子Ｃを介して１箇所でプリント基板５０ｐのグランドＧＮＤと接続する（合計で４箇所で接続する）。また、この容量素子Ｃと並列に接続された直列ＬＣフィルタＦＬを介して１箇所でプリント基板５０ｐのグランドＧＮＤと接続する（合計で４箇所で接続する）。
【００５５】
次に、シミュレーションで使用する直列ＬＣフィルタの特性を説明する。
図８Ａは、直列ＬＣフィルタの特性を取得するための等価回路である。
図８Ｂは、直列ＬＣフィルタの減衰特性を例示するグラフである。
図８Ｂの横軸は周波数を示し縦軸は減衰量を示す。
図８Ｂは、負荷インピーダンスＺｒを５０Ω（オーム）とし、直列ＬＣフィルタＦＬを１００ｋＨｚ（キロヘルツ）〜１０ＧＨｚ（ギガヘルツ）まで変化させた場合の減衰特性である。
図８Ｃは、直列ＬＣフィルタのインピーダンス特性を例示するスミスチャートである。
図８Ｃは、図８Ａに示すＺｉｎから直列ＬＣフィルタＦＬ側を見た場合のインピーダンス特性を示す。
【００５６】
図８Ｂに示すように、直列ＬＣフィルタＦＬの共振周波数である９２０ＭＨｚ（メガヘルツ）付近で減衰量が大きい。また、図８Ｃに示すように、共振周波数である９２０ＭＨｚ付近でのみ、０Ω（オーム）となり、電気的にショートとなる。すなわち、グランドＧＮＤに接続された状態となる。
【００５７】
次に、実施の形態１に係る無線端末のシミュレーション結果を説明する。
図９Ａは、２．４ＧＨｚ帯のノイズ電流の分布を例示するシミュレーション結果である。
図９Ａは、グランド接続状態のシミュレーション結果である。
【００５８】
図９Ｂは、２．４ＧＨｚ帯のノイズ電流の分布を例示するシミュレーション結果である。
図９Ｂは、容量結合状態のシミュレーション結果である。
【００５９】
図９Ｃは、２．４ＧＨｚ帯のノイズ電流の分布を例示するシミュレーション結果である。
図９Ｃは、容量＆直列ＬＣフィルタ結合状態のシミュレーション結果である。
【００６０】
図１０Ａは、９２０ＭＨｚ帯のノイズ電流の分布を例示するシミュレーション結果である。
図１０Ａは、グランド接続状態のシミュレーション結果である。
【００６１】
図１０Ｂは、９２０ＭＨｚ帯のノイズ電流の分布を例示するシミュレーション結果である。
図１０Ｂは、容量結合状態のシミュレーション結果である。
【００６２】
図１０Ｃは、９２０ＭＨｚ帯のノイズ電流の分布を例示するシミュレーション結果である。
図１０Ｃは、容量＆直列ＬＣフィルタ結合状態のシミュレーション結果である。
【００６３】
容量結合状態のシミュレーションにおいては、ＵＳＢパッケージコネクタの４つのプリント基板接続部と、プリント基板のグランドＧＮＤとを、４ｐＦ（ピコファラッド）の容量素子を介して結合した。すなわち、プリント基板接続部の４箇所のそれぞれを、４ｐＦの容量素子を介してプリント基板のグランドＧＮＤと結合した。
【００６４】
容量＆直列ＬＣフィルタ結合状態のシミュレーションにおいては、４箇所を４ｐＦの容量素子でグランドＧＮＤと結合すると共に、これと並列に４箇所を直列ＬＣフィルタでグランドＧＮＤと結合した。直列ＬＣフィルタは、５．１ｎＨ（ナノヘンリー）の誘導素子と６ｐＦ（ピコファラッド）の容量素子とを直列に接続したフィルタである。直列ＬＣフィルタの共振周波数は、９２０ＭＨｚである。
【００６５】
図９Ａ、図９Ｂ、図９Ｃ、図１０Ａ、図１０Ｂ及び図１０Ｃの各図において、ノイズ電流Ｎｚｃは、図中の矢印で示す。
【００６６】
図９Ａに示すように、２．４ＧＨｚ帯ではグランド接続状態の場合、２．４ＧＨｚアンテナ付近の２．４ＧＨｚ帯におけるＵＳＢ３．０に起因するノイズ電流Ｎｚｃが大きい。
【００６７】
一方、図１０Ａに示すように、９２０ＭＨｚ帯ではグランド接続状態の場合、ノイズ電流Ｎｚｃはほとんど流れず、ノイズの影響は受けない。すなわち、ＵＳＢパッケージコネクタをグランドＧＮＤに接続することの効果は、２．４ＧＨｚ帯よりも９２０ＭＨｚ帯の方が大きい。
【００６８】
図９Ｂに示すように、２．４ＧＨｚ帯の容量結合状態（４ｐＦの容量素子結合時）、の場合、ＵＳＢパッケージコネクタがアンテナとして機能しなくなり、２．４ＧＨｚアンテナ付近のノイズ電流は小さい。
【００６９】
一方で、図１０Ｂに示すように、９２０ＭＨｚ帯の容量結合状態（４ｐＦの容量素子結合時）の場合、９２０ＭＨｚアンテナ付近でノイズ電流Ｎｚｃが大きくなり、ノイズの影響を受ける。
【００７０】
図９Ｃ及び図１０Ｃに示すように、容量＆直列ＬＣフィルタ結合状態の場合、２．４ＧＨｚ帯と９２０ＭＨｚ帯の両方で、アンテナ付近のノイズ電流は小さくなり、ノイズの影響を受けにくくなる。
【００７１】
このように、シミュレーション結果によれば、ＵＳＢパッケージコネクタを、「グランド接続状態」、「容量結合状態」、又は「容量＆直列ＬＣフィルタ結合状態」とすることにより、ノイズ電流Ｎｚｃを低減することができる。
【００７２】
次に、実施の形態１に係る無線端末の実測結果を説明する。
図１１は、ノイズを測定する測定系を例示する図である。
図１２Ａは、２．４ＧＨｚ帯のノイズ電力を例示するグラフである。
図１２Ａは、グランド接続状態を示す。
図１２Ｂは、２．４ＧＨｚ帯のノイズ電力を例示するグラフである。
図１２Ｂは、容量結合状態を示す。
図１２Ｃは、２．４ＧＨｚ帯のノイズ電力を例示するグラフである。
図１２Ｃは、容量＆直列ＬＣフィルタ結合状態を示す。
図１３Ａは、９２０ＭＨｚ帯のノイズ電力を例示するグラフである。
図１３Ａは、グランド接続状態を示す。
図１３Ｂは、９２０ＭＨｚ帯のノイズ電力を例示するグラフである。
図１３Ｂは、容量結合状態を示す。
図１３Ｃは、９２０ＭＨｚ帯のノイズ電力を例示するグラフである。
図１３Ｃは、容量＆直列ＬＣフィルタ結合状態を示す。
【００７３】
図１２Ａ、図１２Ｂ、図１２Ｃ、図１３Ａ、図１３Ｂ及び図１３Ｃの各図において、横軸は周波数を示し、縦軸は受信した電力を示す。
【００７４】
図１２Ａ、図１２Ｂ、図１２Ｃ、図１３Ａ、図１３Ｂ及び図１３Ｃの各図において、グラフＧ１は、ＵＳＢ３．０のノイズが有る場合を示す。すなわち、グラフＧ１は、ＵＳＢドングル７０５を無線端末７０に接続し、電源を投入した場合を示す。また、グラフＧ２は、ＵＳＢ３．０のノイズが無い場合を示す。すなわち、グラフＧ２は、ＵＳＢドングル７０５を無線端末７０に接続せず、無線端末７０の電源を投入しない場合を示す。
【００７５】
図１１に示すように、ノイズは、ＵＳＢドングル７０５とＵＳＢパッケージコネクタ７０１とからノイズ電流Ｎｚｃや放射ノイズＮｚｒとして発生する。発生したノイズ電流Ｎｚｃや放射ノイズＮｚｒは、９２０ＭＨｚ帯用アンテナ７０４ａと２．４ＧＨｚ帯用アンテナ７０４ｂとで受信される。これらのノイズを、低雑音増幅器７０９で増幅し、スペクトラムアナライザ７１０でノイズ電力Ｎｚｐとして測定する。
【００７６】
図１２Ａ、図１２Ｂ、図１２Ｃ、図１３Ａ、図１３Ｂ及び図１３Ｃの各図において、グラフＧ１が（ＵＳＢ３．０ノイズ有り）がグラフＧ２（ＵＳＢ３．０ノイズ無し）と比べて上昇した場合、ノイズ電力Ｎｚｐが上昇したことになる。この場合、所要の信号対雑音比を得るための信号電力は、ノイズ電力Ｎｚｐが上昇した分だけさらに多く必要となる。このため、信号電力を上げることができない場合、受信感度が低下したり、スループットが低下する等により受信特性が悪化する。
【００７７】
図１２Ａ及び１３Ａに示すように、グランドＧＮＤ接続状態では、２．４ＧＨｚ帯のアンテナで受信されるノイズ電力Ｎｚｐは増加する傾向にある。
【００７８】
図１２Ｂ及び図１３Ｂに示すように、容量結合状態では、ＵＳＢパッケージコネクタ７０１と接続媒体とがアンテナとして機能しなくなる。このため、２．４ＧＨｚ帯のアンテナで受信されるノイズ電力Ｎｚｐは低減する。一方で、９２０ＭＨｚ帯のグランドＧＮＤ接続が弱くなり、９２０ＭＨｚ帯のアンテナで受信されるノイズ電力Ｎｚｐは増加し、受信特性が低下する。
【００７９】
図１２Ｃ及び図１３Ｃに示すように、容量＆直列ＬＣフィルタ結合状態では、９２０ＭＨｚ帯で共振し、インピーダンスが０Ω（オーム）となるＬＣ直列フィルタを追加したことにより、９２０ＭＨｚ帯のアンテナで受信されるノイズ電力Ｎｚｐは低減する。また、容量素子により、２．４ＧＨｚ帯のアンテナで受信されるノイズ電力Ｎｚｐは低減状態を維持する。ＬＣ直列フィルタは、９２０ＭＨｚ周波数付近を共振周波数とし、グランドＧＮＤ結合状態となり、２．４ＧＨｚではグランドＧＮＤ結合状態とはならない。このため、ＵＳＢコネクタと接続媒体とがアンテナとして機能しない。
【００８０】
容量＆直列ＬＣフィルタ結合状態では、ＵＳＢパッケージコネクタ７０１のプリント基板接続部とプリント基板のグランドＧＮＤとの間のそれぞれに、容量素子とこれと並列に接続された直列ＬＣフィルタとを有するフィルタ部を設けることが望ましい。そして、フィルタ部の数は、例えば４つが望ましい。
【００８１】
このような実測結果によれば、シミュレーション結果と同様に、ＵＳＢパッケージコネクタを、「グランド接続状態」、「容量結合状態」、又は「容量＆直列ＬＣフィルタ結合状態」とすることにより、アンテナから受信されるノイズ電力Ｎｚｐの量を低減することができる。
【００８２】
無線端末の高速インターフェースに外部機器が接続された場合、高速インターフェース接続用コネクタがアンテナとして機能し、複数の通信周波数のうちの少なくとも１つの周波数で通信する受信特性に悪影響を与える場合がある。外部機器は、例えば、外部メモリやハードディスクやディスプレイ等の機器である。
【００８３】
実施の形態１に係る無線端末においては、高速インターフェース接続用コネクタのシールドパッケージとプリント基板のグランドとの間に、高速インターフェース接続用コネクタがアンテナとして機能させないための素子を追加する。素子は、例えば、容量素子や直列ＬＣフィルタ等である。これらの素子を追加することにより、高速インターフェース接続用コネクタがアンテナとして機能しなくなるので、無線端末のアンテナから受信するノイズの量を低減することができる。
【００８４】
その結果、無線端末が通信で使用する複数の通信周波数のうちの少なくとも１つの周波数を有するノイズを低減することが可能な無線端末及び方法を提供することができる。
【００８５】
また、アンテナから受信するノイズの量を低減することにより、スループットの低下や通信可能距離が短縮する等の通信特性の劣化を抑制することができる。
【００８６】
また、直列ＬＣフィルタの共振周波数を変更することで、所望の周波数のノイズの低減量を制御することができる。
【００８７】
また、容量素子や直列ＬＣフィルタ等を有するフィルタ部（共振回路）は、簡易であり、安価であり、素子（部品）の実装面積も、無線端末内のその他の部品と比べて大きく無い。このため、モバイル端末のような小型の製品に対して部品の実装面での制約を与えることが少なく、また、製品コストの上昇も抑えることができる。
【００８８】
ここで、実施の形態１に係る無線端末の特徴を記載する。
複数の通信方式、複数の通信周波数で通信する無線端末において、無線端末の高速データ通信用インターフェースとして実装された金属コネクタ、及び金属コネクタに接続された外部のインターフェース媒体と、これと接続するケーブルからノイズが放射される。実施の形態１に係る無線端末は、金属コネクタとプリント基板のグランドとをフィルタで結合する。実施の形態１は、この結合方法により、ノイズが無線端末のアンテナから受信されにくくし、受信特性の低下を抑制することができる。そして、複数の共振回路を使用することで、全ての通信周波数において受信特性の低下を抑制することができる。
【００８９】
［比較例］
図１４は、実施の形態１の比較例に係る無線端末を例示するブロック図である。
【００９０】
図１４に示すように、比較例に係る無線端末４０は、実施の形態１に係る無線端末１０と比べて、フィルタ部１０３が設けられていない点が異なる。
【００９１】
これにより、ＵＳＢドングル４０５とＵＳＢパッケージコネクタ４０１とが通信周波数でアンテナとして機能し、放射ノイズＮｚｒやノイズ電流Ｎｚｃが発生する。そして、発生した放射ノイズＮｚｒは、アンテナ４０４ａとアンテナ４０４ｂとから受信され、受信特性が低下する。また、プリント基板４０ｐ内のアンテナ４０４ａとアンテナ４０４ｂ付近で発生したノイズ電流Ｎｚｃも、同様に受信特性を低下させる。
【００９２】
その結果、無線端末が通信で使用する複数の通信周波数のうちの少なくとも１つの周波数を有するノイズを低減することが可能な無線端末及び方法を提供することが難しい。
【００９３】
［実施の形態２］
実施の形態２に係る無線端末の構成を説明する。
図１５Ａは、実施の形態２に係る無線端末を例示するブロック図である。
図１５Ｂは、図１５Ａに示す部分Ｂ７を例示する図である。
【００９４】
図１５Ａ及び図１５Ｂに示すように、実施の形態２に係る無線端末２０は、実施の形態１に係る無線端末１０と比べて、共振周波数を制御する制御部２０６をさらに有する点が異なる。また、容量素子Ｃの代わりに可変容量ダイオードＶｃを使用する点が異なる。
【００９５】
可変容量ダイオードＶｃは、加えられる電圧により、容量値が変化するダイオードである。
【００９６】
フィルタ部２０３は、共振周波数が複数の通信周波数ｆに設定された共振回路２０３１〜共振回路２０３４を有する。
【００９７】
共振回路２０３２は、誘導素子Ｌと可変容量ダイオードＶｃとを有する。誘導素子Ｌと可変容量ダイオードＶｃとで、直列ＬＸフィルタＦＬＸを構成する。誘導素子Ｌの第１端子は高速インターフェース接続用コネクタ部２０１ｃに接続される。具体的には、誘導素子Ｌの第１端子は、高速インターフェース接続用コネクタ２０１ｃのシールドパッケージ２０１２に接続される。
【００９８】
可変容量ダイオードＶｃの第１端子は誘導素子Ｌの第２端子に接続され、可変容量ダイオードＶｃの第２端子はグランドＧＮＤに接続され、可変容量ダイオードＶｃの第３端子は制御部２０６に接続される。
【００９９】
制御部２０６は、可変容量ダイオードＶｃの第３端子を介して可変容量ダイオードＶｃに印加する電圧を変化させることで、直列ＬＸフィルタＦＬＸの共振周波数を制御する。
【０１００】
制御部２０６は、高速インターフェース接続用コネクタ２０１ｃと無線受信部２０２（無線部２２）とフィルタ部２０３とに接続され、無線端末２０の機能の制御する。制御部２０６は、インターフェース接続判定部２０６１とノイズレベル確認部２０６２ａ〜２０６２ｄとノイズレベル判定部２０６３と電圧レベル変更部２０６４とを有する。制御部２０６は、記憶部２０６５と接続する。
【０１０１】
ノイズレベル確認部２０６２ａ〜２０６２ｄは、制御部２０６からの制御により、通信を行っていない時のノイズレベルを確認する。ノイズレベルとは、信号対雑音比（Ｓ(Signal)／Ｎ(Noize)比）の雑音のレベルのことである。通信を行っていない時のことを、非通信時と称することもある。非通信時のノイズレベルをフロアレベルと称することもある。
【０１０２】
尚、通信を行っている時は、通信の信号が含まれているので、より正確なノイズレベルを測定することができない場合がある。このため、ノイズレベルは、非通信時のノイズレベルを測定することが望ましいので、無線部２２を動作させ非通信時のノイズレベルを受信し測定する。
【０１０３】
ノイズレベル判定部２０６３は、制御部２０６からの制御により、ノイズレベル確認部２０６２ａ〜２０６２ｄで確認されたノイズレベルが記憶部２０６５に予め記憶されたノイズレベル閾値Ｎｚｔ以下であるか否かを判定する。ノイズレベル判定部２０６３は、ノイズレベルがノイズレベル閾値Ｎｚｔよりも大きい場合、電圧レベル変更部２０６４を使用し、可変容量ダイオードＶｃに印加する電圧レベルを変化させる。
【０１０４】
可変容量ダイオードＶｃに印加する電圧レベルを変化させることで、直列ＬＸフィルタＦＬＸの共振周波数を変化させる。直列ＬＸフィルタＦＬＸの共振周波数を変化させることで、直列ＬＸフィルタＦＬＸの周波数に対する減衰量を変化させる。直列ＬＸフィルタＦＬＸの周波数に対する減衰量を変化させることで、高速インターフェース接続用コネクタ２０１ｃ（シールドパッケージ２０１２）から放射するノイズの量を低減する。このようにして、制御部２０６は、ノイズのレベルがノイズレベル閾値Ｎｚｔ以下となるように、共振周波数を制御する。
【０１０５】
尚、ノイズレベル閾値Ｎｚｔは、例えば、無線端末２０の設計時に決めたものを、ノイズレベルが記憶部２０６５に予め記憶しておく。ノイズレベル閾値Ｎｚｔは、各種の無線部ごとや複数の通信周波数ｆごとに閾値を設けても良い。
【０１０６】
また、制御部２０６のインターフェース接続判定部２０６１は、高速インターフェース部２０１の高速インターフェース接続用コネクタ２０１ｃに接続媒体が接続されているか否かを判定する。
【０１０７】
インターフェース接続判定部２０６１が接続媒体が接続されていると判定し、ノイズレベルがノイズレベル閾値Ｎｚｔより大きい場合、ノイズレベル判定部２０６３は、電圧レベル変更部２０６４を使用し、可変容量ダイオードＶｃに印加する電圧レベルを変化させる。すなわち、制御部２０６は、インターフェース接続判定部２０６１が接続媒体が接続されていると判定し、ノイズレベルがノイズレベル閾値Ｎｚｔより大きい場合、共振周波数を制御する。
【０１０８】
インターフェース接続判定部２０６１が接続媒体が接続されていないと判定した場合、ノイズレベル判定部２０６３は、可変容量ダイオードＶｃに印加する電圧レベルを変化させる動作を行わない。接続媒体が接続されていないと判定された場合、可変容量ダイオードＶｃの電圧変更による直列ＬＸフィルタＦＬＸの周波数に対する減衰量の可変動作を行わない。すなわち、制御部２０６は、インターフェース接続判定部２０６１が接続媒体が接続されていないと判定した場合、共振周波数を制御しない。
【０１０９】
尚、図１５Ｂに示す共振回路２０３２のように、誘導素子Ｌと可変容量ダイオードＶｃとが直列に接続されたフィルタを直列ＬＸフィルタと称する。また、容量値をキャパシタンス値と称することもある。
【０１１０】
ここで、無線受信部２０２ｄの周波数範囲における直列ＬＸフィルタの減衰特性を説明する。
図１６は、実施の形態２に係る直列ＬＸフィルタの減衰特性を例示するグラフである。
【０１１１】
図１６に示すように、直列ＬＸフィルタＦＬＸは、Ｑ値(Quality factor)が高いので、減衰可能な周波数範囲が絞られる。このため、無線受信部２０２ｄの通信周波数（受信周波数）ｆ４の範囲が広い場合、直列ＬＸフィルタＦＬＸの可変容量ダイオードＶｃの電圧を変化させることにより、直列ＬＸフィルタＦＬＸの共振周波数を変化させる。そして、直列ＬＸフィルタＦＬＸの共振周波数を変化させることで、直列ＬＸフィルタＦＬＸの周波数に対する減衰特性を変化させる。
【０１１２】
すなわち、可変容量ダイオードＶｃの電圧を変化させることにより、直列ＬＸフィルタＦＬＸの共振周波数を変化させ、直列ＬＸフィルタＦＬＸのＱ値が高く減衰可能な周波数範囲を移動させる。これにより、直列ＬＸフィルタＦＬＸのＱ値が高く減衰可能な周波数範囲を移動させて、ノイズレベルをノイズレベル閾値Ｎｚｔ以下まで減衰させることが可能となり、最良な受信特性を得ることができる。
【０１１３】
実施の形態２に係る無線端末２０は、直列ＬＸフィルタＦＬＸを有し、直列ＬＸフィルタＦＬＸは複数の通信周波数ｆに対応した複数の共振回路２０３１〜２０３４を有する。具体的には、無線端末２０のフィルタ部２０３は、通信周波数ｆ１に対応した共振回路２０３１と通信周波数ｆ２に対応した共振回路２０３２と通信周波数ｆ３に対応した共振回路２０３３と通信周波数ｆ４に対応した共振回路２０３４とを有する。
【０１１４】
これにより、無線端末２０が、複数の通信周波数ｆ（通信周波数ｆ１、通信周波数ｆ２、通信周波数ｆ３及び通信周波数ｆ４）の無線信号を同時に受信した場合でも、フィルタ部２０３が、複数の通信周波数ｆのそれぞれに対応したノイズを低減する。
【０１１５】
実施の形態２に係る無線端末の動作を説明する。
アンテナ２０４ｄを介して無線受信部２０２ｄが通信している場合を例に挙げて説明する。
図１７は、実施の形態２に係る無線端末の動作を例示するフローチャートである。
【０１１６】
図１７に示すように、制御部２０６は、インターフェース接続判定部２０６１を使用し、高速インターフェース接続用コネクタ２０１ｃに接続媒体が接続されているか否かを判定する。すなわち、高速インターフェースに接続が有るか否かを判定する（ステップＳ１０１）。
【０１１７】
高速インターフェース接続用コネクタ２０１ｃに接続媒体が接続されていると判定した場合（ステップＳ１０１：Ｙｅｓ）、無線受信部２０２ｄが無線信号を非通信中か否かを判定（確認）する（ステップＳ１０２）。
【０１１８】
制御部２０６が無線受信部２０２ｄが無線信号を非通信中と判定した場合（ステップＳ１０２：Ｙｅｓ）、制御部２０６はノイズレベル判定部２０６３を使用し、ノイズレベルを確認する（ステップＳ１０３）。
【０１１９】
制御部２０６は、ノイズレベル判定部２０６３を使用し、確認されたノイズレベルが記憶部２０６５に予め記憶されたノイズレベル閾値Ｎｚｔ以下であるか否かを確認する（ステップＳ１０４）。
【０１２０】
ノイズレベルがノイズレベル閾値Ｎｚｔ以下である場合（ステップＳ１０４：Ｙｅｓ）、ノイズの影響は無いものと判定できるので、通常通信に移行する（ステップＳ１０６）。
【０１２１】
高速インターフェース接続用コネクタ２０１ｃに接続媒体が接続されていないと判定した場合（ステップＳ１０１：Ｎｏ）、ノイズ源の接続が無く、外部インターフェース接続によるノイズは発生しないものと判定できるので、通常通信に移行する（ステップＳ１０６）。
【０１２２】
制御部２０６が無線受信部２０２ｄが無線信号を通信中と判定した場合（ステップＳ１０２：Ｎｏ）、通信中は受信する無線信号が存在し、ノイズレベルの判定が不可能なので、非通信中になるまで待つ（ステップＳ１０２に戻る）。
【０１２３】
ノイズレベルがノイズレベル閾値Ｎｚｔ以下でない場合（ステップＳ１０４：Ｎｏ）、制御部２０６は、電圧レベル変更部２０６４を使用し、直列ＬＸフィルタＦＬＸの可変容量ダイオードＶｃに印加する電圧を変化させる。そして、印加する電圧を変化させることで、通信周波数（受信周波数）における減衰量を調整し、ノイズレベルを最適化する（ステップＳ１０５）。
【０１２４】
ステップＳ１０５において、ノイズレベルがノイズレベル閾値Ｎｚｔよりも大きい場合、ステップＳ１０４に戻り、ノイズレベルがノイズレベル閾値Ｎｚｔ以下になるまで、この動作を繰り返す。
【０１２５】
実施の形態においては、高速インターフェースの先に接続された接続媒体をノイズ源とした場合において、高速インターフェース接続用コネクタのシールドパッケージの回路接続方法を例に挙げて説明したが、これには限定されない。
【０１２６】
無線端末のアンテナに悪影響を及ぼすノイズ源としては、実施の形態の他に、無線端末内に実装され、アンテナとして機能してしまう金属物等が挙げられる。実施の形態は、このような金属物等の全てに適用可能である。
【０１２７】
金属物は、例えば、無線端末の動作温度を下げるための放熱用金属物、強度が必要な機構部品として使用する金属部品等が挙げられる。実施の形態は、これらの金属部品のプリント基板接触部とプリント基板のグランドＧＮＤとの間の全ての箇所に、容量素子（コンデンサ）やフィルタ（直列ＬＣフィルタや直列ＬＸフィルタ）を設けることにより、同様な効果を得ることができる。
【０１２８】
尚、上記の実施の形態では、本発明をハードウェアの構成として説明したが、本発明はこれに限定されるものではない。本発明は、各構成要素の処理を、ＣＰＵ（Central Processing Unit）にコンピュータプログラムを実行させることにより実現することも可能である。
【０１２９】
上記の実施の形態において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実態のある記録媒体(trangible storage medium)を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programable ROM）、ＥＰＲＯＭ(Erasable PROM)）、フラッシュＲＯＭ、ＲＡＭ(Random Access Memory)を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１３０】
また、上記の実施形態の一部又は全部は、以下の付記のようにも記載されうるが、以下には限られない。
【０１３１】
（付記１）
複数の通信周波数を含む無線信号をアンテナで受信する無線受信部と、
所定周波数を含む高速信号を通信する高速インターフェース部と、
前記高速インターフェース部から放射され、前記複数の通信周波数のうちの少なくとも１つの周波数を有するノイズを低減するために前記高速インターフェース部に接続されたフィルタ部と、
を備える無線端末。
（付記２）
前記所定周波数は、前記複数の通信周波数のうちの少なくとも１つの周波数を含む、
付記１に記載の無線端末。
（付記３）
前記フィルタ部は、第１端子が前記高速インターフェース部に接続され、第２端子が自端末のグランドに接続される、
付記１又は２に記載の無線端末。
（付記４）
前記フィルタ部は、共振周波数が前記複数の通信周波数に設定された共振回路を有し、
前記共振回路は、前記ノイズを前記グランドに逃がすことで前記ノイズを低減する、
付記３に記載の無線端末。
（付記５）
前記共振周波数を制御する制御部をさらに備えた、付記４に記載の無線端末。
（付記６）
前記制御部は、前記ノイズのレベルがノイズレベル閾値以下となるように、前記共振周波数を制御する、
付記５に記載の無線端末。
（付記７）
前記高速インターフェース部に接続媒体が接続されているか否かを判定するインターフェース接続判定部をさらに備え、
前記制御部は、
前記インターフェース接続判定部が前記接続媒体が接続されていると判定した場合、前記共振周波数を制御し、
前記インターフェース接続判定部が前記接続媒体が接続されていないと判定した場合、前記共振周波数を制御しない、
付記５又は６に記載の無線端末。
（付記８）
前記共振回路は、第１端子が前記高速インターフェース部に接続された誘導素子と、第１端子が前記誘導素子の第２端子に接続され第２端子が前記グランドに接続され第３端子が前記制御部に接続された可変容量ダイオードと、を有し、
前記制御部は、前記第３端子を介して前記可変容量ダイオードに印加する電圧を変化させることで前記共振周波数を制御する、
付記５乃至７のいずれか１つに記載の無線端末。
（付記９）
前記高速インターフェース部は、前記高速信号を伝送する信号線と、前記信号線から放射される前記ノイズを電気的に遮蔽するシールドパッケージと、を有する、
付記４乃至８のいずれか１つに記載の無線端末。
（付記１０）
前記共振回路は、第１端子が前記シールドパッケージに接続され、第２端子が前記グランドに接続された第１容量素子を有する、
付記９に記載の無線端末。
（付記１１）
前記共振回路は、第１端子が前記シールドパッケージに接続された第１誘導素子と、第１端子が前記第１誘導素子の第２端子に接続され、第２端子が前記グランドに接続された第２容量素子と、を有する、
付記９又は１０に記載の無線端末。
（付記１２）
複数の通信周波数を含む無線信号をアンテナで受信するステップと、
所定周波数を含む高速信号を高速インターフェース部で通信するステップと、
前記高速インターフェース部から放射され、前記複数の通信周波数のうちの少なくとも１つの周波数を有するノイズを低減するステップと、
を備える方法。
（付記１３）
複数の通信周波数を含む無線信号をアンテナで受信するステップと、
所定周波数を含む高速信号を高速インターフェース部で通信するステップと、
前記高速インターフェース部から放射され、前記複数の通信周波数のうちの少なくとも１つの周波数を有するノイズを低減するステップと、
をコンピュータに実行させるプログラム。
【０１３２】
なお、本発明は上記実施の形態に限られたものではなく、趣旨を逸脱しない範囲で適宜変更することが可能である。
【符号の説明】
【０１３３】
１０…無線端末
１０ｐ…プリント基板
１０１…高速インターフェース部
１０１ｃ…高速インターフェース接続用コネクタ
１０１１…信号線
１０１２…シールドパッケージ
１０１２ａ、１０１２ｂ、１０１２ｃ、１０１２ｄ…プリント基板接続部
１０１３…ノイズ源
１２…無線部
１０２、１０２ａ、１０２ｂ、１０２ｃ、１０２ｄ…無線受信部
１１２…無線送信部
１０３…フィルタ部
１０３１、１０３２、１０３３、１０３４…共振回路
１０４、１０４ａ、１０４ｂ、１０４ｃ、１０４ｄ…アンテナ
２０…無線端末
２０ｐ…プリント基板
２０１…高速インターフェース部
２０１ｃ…高速インターフェース接続用コネクタ
２０１２…シールドパッケージ
２０１２ａ、２０１２ｂ、２０１２ｃ、２０１２ｄ…プリント基板接続部
２２…無線部
２０２…無線受信部
２０２ａ、２０２ｂ、２０２ｃ、２０２ｄ…無線受信部
２０３…フィルタ部
２０３１、２０３２、２０３３、２０３４…共振回路
２０４、２０４ａ、２０４ｂ、２０４ｃ、２０４ｄ…アンテナ
２０６…制御部
２０６１…インターフェース接続判定部
２０６２、２０６２ａ、２０６２ｂ、２０６２ｃ、２０６２ｄ…ノイズレベル確認部
２０６３…ノイズレベル判定部
２０６４…電圧レベル変更部
２０６５…記憶部
４０…無線端末
４０ｐ…プリント基板
４０１…ＵＳＢパッケージコネクタ
４０４ａ、４０４ｂ…アンテナ
４０５…ＵＳＢドングル
４０７…ＵＳＢ信号用配線
５０ｐ…プリント基板
５０１…ＵＳＢパッケージコネクタ
５０１２ａ、５０１２ｂ、５０１２ｃ、５０１２ｄ…プリント基板接続部
５０１２ａ１、５０１２ａ２…半田付け部
５０１３…ノイズ源
５０３…フィルタ部
５０５…ＵＳＢドングル
５０７…ＵＳＢ信号用配線
５０８…ＵＳＢ信号端子
７０…無線端末
７０１…ＵＳＢパッケージコネクタ
７０２ａ…９２０ＭＨｚ帯用無線受信部
７０２ｂ…２．４ＧＨｚ帯用無線受信部
７０４ａ…９２０ＭＨｚ帯用アンテナ
７０４ｂ…２．４ＧＨｚ帯用アンテナ
７０５…ＵＳＢドングル
７０９…低雑音増幅器
７１０…スペクトラムアナライザ
Ｂ１、Ｂ２、Ｂ３、Ｂ４、Ｂ５、Ｂ６、Ｂ７…部分
Ｇ１、Ｇ２…グラフ
Ｃ…容量素子
Ｌ…誘導素子
ＦＬ…直列ＬＣフィルタ
ＦＬＸ…直列ＬＸフィルタ
Ｖｃ…可変容量ダイオード
Ｃ１…第１容量素子
Ｃ２…第２容量素子
Ｌ１…第１誘導素子
ｈ…スルーホール
ｆ…複数の通信周波数
ｆ１、ｆ２、ｆ３、ｆ４…通信周波数
ｆｄ…所定周波数
ＧＮＤ…グランド
Ｎｚｐ…ノイズ電力
Ｎｚｔ…ノイズレベル閾値
Ｎｚｒ…放射ノイズ
Ｎｚｃ…ノイズ電流
Ｚｒ…負荷インピーダンス
Ｘ、Ｙ、Ｚ…方向
【図１】
2019125901.tif 000003
【図２Ａ】
2019125901.tif 000004
【図２Ｂ】
2019125901.tif 000005
【図３Ａ】
2019125901.tif 000006
【図３Ｂ】
2019125901.tif 000007
【図３Ｃ】
2019125901.tif 000008
【図４Ａ】
2019125901.tif 000009
【図４Ｂ】
2019125901.tif 000010
【図５Ａ】
2019125901.tif 000011
【図５Ｂ】
2019125901.tif 000012
【図５Ｃ】
2019125901.tif 000013
【図６Ａ】
2019125901.tif 000014
【図６Ｂ】
2019125901.tif 000015
【図６Ｃ】
2019125901.tif 000016
【図７Ａ】
2019125901.tif 000017
【図７Ｂ】
2019125901.tif 000018
【図７Ｃ】
2019125901.tif 000019
【図７Ｄ】
2019125901.tif 000020
【図８Ａ】
2019125901.tif 000021
【図８Ｂ】
2019125901.tif 000022
【図８Ｃ】
2019125901.tif 000023
【図９Ａ】
2019125901.tif 000024
【図９Ｂ】
2019125901.tif 000025
【図９Ｃ】
2019125901.tif 000026
【図１０Ａ】
2019125901.tif 000027
【図１０Ｂ】
2019125901.tif 000028
【図１０Ｃ】
2019125901.tif 000029
【図１１】
2019125901.tif 000030
【図１２Ａ】
2019125901.tif 000031
【図１２Ｂ】
2019125901.tif 000032
【図１２Ｃ】
2019125901.tif 000033
【図１３Ａ】
2019125901.tif 000034
【図１３Ｂ】
2019125901.tif 000035
【図１３Ｃ】
2019125901.tif 000036
【図１４】
2019125901.tif 000037
【図１５Ａ】
2019125901.tif 000038
【図１５Ｂ】
2019125901.tif 000039
【図１６】
2019125901.tif 000040
【図１７】
2019125901.tif 000041